(57)【特許請求の範囲】
【請求項１】
第１のセルであるマクロセルと、第２のセルであるＣＳＧセルとを有する無線通信ネットワークにおける第１の無線通信端末であって、
前記第１の無線通信端末が有する前記第２のセルへのアクセスに関する機能を一部有しない第２の無線通信端末と前記第１の無線通信端末により他のセルへのハンドオーバーの可否判断に用いられる第１のセルリストを、前記第１のセルの基地局から受信する第１のセルリスト受信部と、
前記他のセルへのハンドオーバーにおいて前記第１の無線通信端末により用いられ前記第２の無線通信端末によっては用いられない、前記他のセルが前記第２のセルであるか否かの判断に用いられる情報が含まれる第２のセルリストを、前記第１のセルの基地局から受信する第２のセルリスト受信部と、
前記第１のセルリスト受信部から取得した前記第１のセルリストと前記第２のセルリスト受信部で取得した第２のセルリストに基づいて、受信品質測定の測定対象となる隣接セルを判断するセルリスト制御部と、
前記隣接セルが前記第２のセルの場合に、前記第２のセルの基地局から受信した報知情報を基に、前記第１の無線通信端末が前記第２のセルに対しアクセス可能か否かを判断するアクセス可否判定部と、
前記アクセス可否判定部の判定結果と前記隣接セルの受信品質を測定した測定結果を前記第１のセルの基地局に報告する受信品質測定報告部と、
を備える無線通信端末。
【請求項２】
前記第２のセルリストは前記第２のセルのセルＩＤの範囲を示す情報を含む、
請求項１に記載の無線通信端末。
【請求項３】
第１のセルであるマクロセルと、第２のセルであるＣＳＧセルとを有する無線通信ネットワークにおける第１の無線通信端末によって実行される通信方法であって、
前記第１の無線通信端末が有する前記第２のセルへのアクセスに関する機能を一部有しない第２の無線通信端末と前記第１の無線通信端末により他のセルへのハンドオーバーの可否判断に用いられる第１のセルリストを、前記第１のセルの基地局から受信するステップと、
前記他のセルへのハンドオーバーにおいて前記第１の無線通信端末により用いられ前記第２の無線通信端末によっては用いられない、前記他のセルが前記第２のセルであるか否かの判断に用いられる情報が含まれる第２のセルリストを、前記第１のセルの基地局から受信するステップと、
前記第１のセルリストと前記第２のセルリストに基づいて、受信品質測定の測定対象となる隣接セルを判断するステップと、
前記隣接セルが前記第２のセルの場合に、前記第２のセルの基地局から受信した報知情報を基に、前記第１の無線通信端末が前記第２のセルに対しアクセス可能か否かを判断するステップと、
前記アクセス可否の判定結果と前記隣接セルの受信品質を測定した測定結果を前記第１のセルの基地局に報告するステップと、
を含む通信方法。
【請求項４】
前記第２のセルリストは前記第２のセルのセルＩＤの範囲を示す情報を含む、
請求項３に記載の通信方法。
【請求項５】
第１のセルであるマクロセルと、第２のセルであるＣＳＧセルとを有する無線通信ネットワークにおける前記第１のセルの基地局であって、
第１の無線通信端末と前記第１の無線通信端末が有する前記第２のセルへのアクセスに関する機能を一部有しない第２の無線通信端末により他のセルへのハンドオーバーの可否判断に用いられる第１のセルリストを送信する第１のセルリスト送信部と、
前記他のセルへのハンドオーバーにおいて前記第１の無線通信端末により用いられ前記第２の無線通信端末によっては用いられない、前記他のセルが前記第２のセルであるか否かの判断に用いられる情報が含まれる第２のセルリストを送信する第２のセルリスト送信部と、
前記第１の無線通信端末に対し、前記第１の無線通信端末により前記１のセルリストと前記第２のセルリストに基づいて測定対象と判断された隣接セルの受信品質を測定させる測定制御部と、
前記第１の無線通信端末から、前記第１の無線通信端末が、前記隣接セルが前記第２のセルの場合に、前記第２のセルの基地局から受信した報知情報を基に前記第１の無線通信端末が前記第２のセルに対しアクセス可能か否かを判断した判定結果と、前記隣接セルの受信品質を測定した測定結果とを受信する受信品質測定報告受信部と、
を備える基地局。
【請求項６】
前記第２のセルリストは前記第２のセルのセルＩＤの範囲を示す情報を含む、
請求項５に記載の基地局。
【請求項７】
第１のセルであるマクロセルと、第２のセルであるＣＳＧセルとを有する無線通信ネットワークにおける前記第１のセルの基地局によって実行される通信方法であって、
第１の無線通信端末と前記第１の無線通信端末が有する前記第２のセルへのアクセスに関する機能を一部有しない第２の無線通信端末により他のセルへのハンドオーバーの可否判断に用いられる第１のセルリストを送信するステップと、
前記他のセルへのハンドオーバーにおいて前記第１の無線通信端末により用いられ前記第２の無線通信端末によっては用いられない、前記他のセルが前記第２のセルであるか否かの判断に用いられる情報が含まれる第２のセルリストを送信するステップと、
前記第１の無線通信端末に対し、前記第１の無線通信端末により前記１のセルリストと前記第２のセルリストに基づいて測定対象と判断された隣接セルの受信品質を測定させるステップと、
前記第１の無線通信端末から、前記第１の無線通信端末が、前記隣接セルが前記第２のセルの場合に、前記第２のセルの基地局から受信した報知情報を基に前記第１の無線通信端末が前記第２のセルに対しアクセス可能か否かを判断した判定結果と、前記隣接セルの受信品質を測定した測定結果とを受信するステップと、
を含む通信方法。
【請求項８】
前記第２のセルリストは前記第２のセルのセルＩＤの範囲を示す情報を含む、
請求項７に記載の通信方法。
【発明の詳細な説明】
【技術分野】
【０００１】
本発明は、ハンドオーバ技術に関し、特に、端末がハンドオーバ先のセルに対するアクセスを許可されているか否かを判定してハンドオーバを行う技術に関する。
【背景技術】
【０００２】
従来から、通信中の端末を異なるセル間においてハンドオーバする技術が知られていた。例えば、非特許文献１は、１０．１．２．１．１節において、マクロセル間におけるハンドオーバの手順を規定している。図２１は、非特許文献１に記載されたハンドオーバのフローチャートである。図２１を参照しながら、従来のハンドオーバ手順について説明する。
【０００３】
まず、端末（ＵＥ：User Equipment）は、周辺基地局からの信号を受信して伝播路品質を測定する。端末は、この測定結果を測定報告（図２１に示す「２．測定報告」）によって、現在接続中の基地局（Source eNB、以下、「ＳｅＮＢ」という）に通知する。測定報告には、端末にとって伝播路品質の良い基地局のセル識別情報（セルＩＤ）および端末のアクセス情報（Tracking Area ID、以下「ＴＡＩＤ」という）などが含まれている。ＳｅＮＢは、伝播路状況の良い基地局を端末のハンドオーバ先の基地局（Target ｅＮＢ、以下「ＴｅＮＢ」という）として決定する。
【０００４】
ＳｅＮＢは、隣接セルリスト（Neighbor Cell List、以下「ＮＣＬ」という）を有しており、ＳｅＮＢに隣接する基地局のセルＩＤやアクセス情報（ＴＡＩＤ）などがリスト化されている。ＳｅＮＢは、このＮＣＬを用いて、測定報告で通知されるセルＩＤに対応する基地局（ＴｅＮＢ）に対して、ハンドオーバ要求信号（図２１に示す「４．ハンドオーバ要求」）を送信する。
【０００５】
ＴｅＮＢは、ハンドオーバ要求信号を受信すると、残りのリソースの状況等に基づいてハンドオーバが可能か否かを判断する。ＴｅＮＢは、ハンドオーバ可能と判断すると、ＳｅＮＢに対してハンドオーバ応答信号（図２１に示す「６．ハンドオーバ応答」）を送信する。
【０００６】
ＳｅＮＢは、ハンドオーバ応答信号を受信すると、端末に対してハンドオーバ実行命令信号（図２１に示す「７．ハンドオーバコマンド」）を送信する。ハンドオーバ実行命令には、ＴｅＮＢにおける端末の識別ＩＤ（Ｃ−ＲＮＴＩ）など、端末がその後の上り回線の同期処理に必要な情報が含まれる。
【０００７】
端末は、ハンドオーバ実行命令を受信すると、Random Access Preambleをハンドオーバ先の基地局（ＴｅＮＢ）に送信して、上り回線の同期処理を開始する（図２１に示す「９．同期」）。ＴｅＮＢは、Random Access Preambleを受信すると、端末の上り回線用の割り当てを行い、端末に割り当て情報を通知する（図２１に示す「１０．ＵＬアロケーション+ＵＥのためのＴＡ」）。端末は、ＴｅＮＢとの接続に成功するとハンドオーバ確認信号（図２１に示す「１１．ハンドオーバ確認」）をＴｅＮＢに送信し、端末におけるハンドオーバ処理が完了したことを通知する。以上、マクロセル間におけるハンドオーバ処理の概略について説明した。
【０００８】
ところで、３ＧＰＰ  ＬＴＥでは、屋内で屋内用の基地局（Home ｅＮＢ）を設置してＣＳＧ（Closed Subscriber Group）セルを構築することが検討されている。一のマクロセルの中に、複数のＣＳＧセルが設けられる。ＣＳＧセルの基地局は、マクロセルの基地局と異なり、非特許文献２の６．３．１ａ．３節の表に見られるように、アクセス制限を有する。このため、端末は、アクセスを許可された基地局にしか接続することができない。端末は、どんなに伝搬路品質の良い基地局を検出しても、アクセス許可がなければ接続することができない。
【先行技術文献】
【非特許文献】
【０００９】
【非特許文献１】３ＧＰＰ ＴＳ ３６．３００ Ｖ８．３．０
【非特許文献２】３ＧＰＰ ＴＳ ３６．３１１ Ｖ８．０．０
【発明の概要】
【発明が解決しようとする課題】
【００１０】
端末がＣＳＧセルの基地局へのアクセスが許可されているか否かを確認するためには、基地局から送信される報知情報であるScheduling Unit（以下「ＳＵ−１」という）に含まれるＴＡＩＤを確認する必要がある。端末は、自身がもつＴＡＩＤと基地局のＴＡＩＤとを照合し、両者が一致すれば、その基地局へのアクセスが許可されていると判断する。
【００１１】
基地局の報知情報にはＳＵ−１信号に含まれるセルのアクセス情報のほかに、端末にアクセスさせないセルのリストとしてアクセス不許可リストが含まれる。このアクセス不許可リストはコアネットワークから基地局を経由して端末に通知される。アクセス不許可リストを受信した端末は、リストに含まれたセルに対してはハンドオーバできない。
【００１２】
現在は、ＣＳＧセルとマクロセルにおいて使用する周波数が異なるシステム（ここではシステム１とする）が検討されている。システム１においては、端末は、周波数の相違によってのみＣＳＧセルとマクロセルを識別できる。一方、将来のシステム（ここではシステム２とする）として、周波数ではなくセルＩＤによって、ＣＳＧセルとマクロセルを識別するシステムが考えられる。システム２においては、端末は、セルＩＤによってＣＳＧセルとマクロセルを識別できる。また、システム２においては、ＣＳＧセルのリストとして、隣接するＣＳＧセルのセルＩＤリストが定義され、報知情報としてコアネットワークから基地局を経由して端末に通知される。
【００１３】
このようなシステムが登場した場合にはシステム間の報知情報の互換性を保つため、現在のシステムであるシステム１で使用される端末は、将来のネットワークであるシステム２でも使用できる必要がある。
【００１４】
上述したように、システム１の端末は、セルＩＤによるＣＳＧセルとマクロセルの識別機能を持たないため、システム２のＣＳＧセルをマクロセルと誤判断する可能性がある。一般にアクセス制限があるＣＳＧセルの方が相当に多いので、ＣＳＧセルにアクセスを試みた場合、ＣＳＧセルのアクセス制限により接続ができないことが多く、通信リソースが無駄になってしまう。
【００１５】
そこで、本発明は、システム１の端末が、システム２で用いられる際に、通信リソースを浪費しないように工夫した無線通信システムを提供する。
【課題を解決するための手段】
【００１６】
本発明の無線通信端末は、第１のセルであるマクロセルと、第２のセルであるＣＳＧセルとを有する無線通信ネットワークにおける前記第２のセルへの移動制御機能を有する第１の無線通信端末であって、前記第２のセルへの移動制御機能を有しない第２の無線通信端末と前記第１の無線通信端末により用いられる第１のセルリストを受信する第１のセルリスト受信部と、前記第１の無線通信端末により用いられる、前記第２のセルに関する情報が含まれる第２のセルリストを受信する第２のセルリスト受信部と、前記第１のセルリスト受信部から取得した前記第１のセルリストと前記第２のセルリスト受信部で取得した第２のセルリストに基づいて、受信品質測定の測定対象となる隣接セルを判断するセルリスト制御部とを備える。
【００１７】
本発明の基地局は、第１のセルであるマクロセルと、第２のセルであるＣＳＧセルとを有する無線通信ネットワークにおける前記第１のセルの基地局であって、前記第２のセルへの移動制御機能を有する第１の無線通信端末と前記第２のセルへの移動制御機能を有しない第２の無線通信端末により用いられる第１のセルリストを送信する第１のセルリスト送信部と、前記第１の無線通信端末により用いられる、前記第２のセルに関する情報が含まれる第２のセルリストを送信する第２のセルリスト送信部と、前記第１の無線通信端末に対し隣接セルの受信品質を測定させる測定制御部とを備える。
【発明の効果】
【００１８】
本発明によれば、第１の無線通信端末と第２の無線通信端末により用いられる第１のセルリストを用いているので、第２の無線通信端末が第１のセルリストに基づいてアクセス許否を決定できると共に、第１の無線通信端末は、第２のセルリストを用いて第１のセルと第２のセルとを区別して適切な無線通信処理を行うことができる。
【図面の簡単な説明】
【００１９】
【図１】第１の実施の形態の無線通信システムによるハンドオーバ時の動作を示す図
【図２】第１の実施の形態の無線通信システムの全体構成を示す図
【図３】第１の実施の形態のＳｅＮＢの構成を示す図
【図４】第１の実施の形態のＴｅＮＢの構成を示す図
【図５】第１の実施の形態でのハンドオーバ時に送受信される信号の流れの一例を示す図
【図６】第２の実施の形態のＳｅＮＢの構成を示す図
【図７】第２の実施の形態のＴｅＮＢの構成を示す図
【図８】第２の実施の形態のハンドオーバ時の動作を示す図
【図９】第２の実施の形態のハンドオーバ時に送受信される信号の流れの一例を示す図
【図１０】第２の実施の形態のハンドオーバ時に送受信される信号の流れの一例を示す図
【図１１】第２の実施の形態の別の態様のハンドオーバ時の動作を示す図
【図１２】第２の実施の形態の別の態様のハンドオーバ時に送受信される信号の流れの一例を示す図
【図１３】第２の実施の形態の別の態様のハンドオーバ時に送受信される信号の流れの一例を示す図
【図１４】第３の実施の形態のハンドオーバ時の動作を示す図
【図１５】第３の実施の形態でのハンドオーバ時に送受信される信号の流れの一例を示す図
【図１６】第３の実施の形態の別の態様のハンドオーバ時の動作を示す図
【図１７】第３の実施の形態で別の態様でのハンドオーバ時に送受信される信号の流れの一例を示す図
【図１８】第４の実施の形態のハンドオーバ時の動作を示す図
【図１９】第４の実施の形態でのハンドオーバ時に送受信される信号の流れの一例を示す図
【図２０】第４の実施の形態でのハンドオーバ時に送受信される信号の流れの一例を示す図
【図２１】非特許文献１に記載されたハンドオーバのフローチャート
【図２２】マクロセルの基地局からＣＳＧセルの基地局にハンドオーバを行う際の動作を示す仮想図
【図２３】第５の実施の形態のＳｅＮＢの構成を示す図
【図２４】第５の実施の形態の端末の構成を示す図
【図２５】第５の実施の形態のハンドオーバ時の動作を示す図
【図２６】第５の実施の形態のハンドオーバ時に送受信される信号の流れの一例を示す図
【図２７】第５の実施の形態のハンドオーバ時に送受信される信号の流れの一例を示す図
【図２８】第６の実施の形態のシステム２のｅＮＢの構成を示す図
【図２９】（ａ）アクセス不許可セルリストの例を示す図（ｂ）ＣＳＧセルリストを示す図
【図３０】新アクセス不許可セルリストの例を示す図
【図３１】新アクセス不許可セルリストの別の例を示す図
【図３２】第６の実施の形態のシステム２のＵＥの構成を示す図
【図３３】第６の実施の形態のシステム２のＵＥがアクセス不許可セルリストを抽出する動作を示す図
【発明を実施するための形態】
【００２０】
以下、本発明の実施の形態の無線通信システムおよび基地局について図面を参照して説明する。
（第１の実施の形態）
図１は、本実施の形態の無線通信システムにおけるハンドオーバの動作を示すフローチャートである。以下では、ハンドオーバの動作について説明する前に、無線通信システムおよび基地局の構成について説明する。
【００２１】
図２は、無線通信システム１の全体構成を示す図である。無線通信システム１は、マクロセルＣ１の基地局１０と、マクロセルＣ１に含まれる複数のＣＳＧセルＣ２の基地局４０と、端末７０とを有している。本実施の形態では、マクロセルＣ１の基地局からＣＳＧセルＣ２の基地局へのハンドオーバについて説明するので、マクロセルＣ１の基地局１０を「ＳｅＮＢ１０」と記載し、ＣＳＧセルＣ２の基地局４０を「ＴｅＮＢ４０」と記載する。なお、マクロセルＣ１が請求項の「第１のセル」、ＣＳＧセルＣ２が請求項の「第２のセル」に対応する。
【００２２】
ＣＳＧセルＣ２には、セルＩＤが付与されている。セルＩＤはセルの識別子であるが、マクロセルＣ１内に同じセルＩＤを有するセルが存在する場合もある。また、ＣＳＧセルＣ２は、アクセス情報としてＴＡＩＤを有している。ＣＳＧセルＣ２の基地局は、同じＴＡＩＤを有する端末７０からのアクセスを許可する。
【００２３】
図３は、ハンドオーバ元の基地局（ＳｅＮＢ）１０の構成を示す図である。ＳｅＮＢ１０は、ＣＳＧセルＣ２のＴｅＮＢ４０との通信インターフェースである基地局通信インターフェース１２と、端末７０との通信インターフェースである端末通信インターフェース１４と、隣接セルの情報を記憶したＮＣＬ１６と、ＴｅＮＢ４０および端末７０との通信を制御する制御部１８とを有する。ＮＣＬ１６は、ＳｅＮＢ１０に隣接する基地局のセルＩＤやアクセス情報（ＴＡＩＤ）等を有している。
【００２４】
制御部１８は、測定報告受信部２０と、ハンドオーバ判定部２２と、ハンドオーバ要求送信部２４と、ハンドオーバ応答受信部２６と、識別情報送信部２８とを有する。なお、図３では、ハンドオーバを行うために必要な構成について記載しているが、ＳｅＮＢ１０は上記の構成のほかにも、通信制御等に必要な構成を有している。
【００２５】
測定報告受信部２０は、端末７０から送信される測定報告を受信する。測定報告には、端末７０が電波を検知した基地局のセルＩＤとその電波の受信品質の情報が含まれている。ハンドオーバ判定部２２は、測定報告に基づいてハンドオーバすべきか否かを判定する。例えば、ＳｅＮＢ１０の受信品質とＴｅＮＢ４０の受信品質とを比較し、ＴｅＮＢ４０の受信品質の方が良い場合には、ＴｅＮＢ４０へのハンドオーバを行うと判定する。ハンドオーバ要求送信部２４は、ハンドオーバ判定部２２にてハンドオーバすべきと判定された場合に、ハンドオーバ先の基地局にハンドオーバ要求を送信する。ハンドオーバ要求送信部２４は、ＮＣＬ１６のデータを用いて、ＣＳＧセルＣ２のセルＩＤおよびＴＡＩＤを求める。そして、ハンドオーバ要求送信部２４は、端末７０からの測定報告にて通知されたセルＩＤを有するＣＳＧセルＣ２のうち、測定報告の送信元の端末７０のＴＡＩＤと同じＴＡＩＤを有するＣＳＧセルＣ２にハンドオーバ要求を送信する。ハンドオーバ応答受
信部２６は、ハンドオーバ要求に対してＴｅＮＢ４０から送信されるハンドオーバ応答を受信する。識別情報送信部２８は、ハンドオーバ応答に含まれる識別情報を端末７０に送信する。
【００２６】
図４は、ハンドオーバ先の基地局（ＴｅＮＢ）４０の構成を示す図である。ＴｅＮＢ４０は、マクロセルＣ１のＳｅＮＢ１０との通信インターフェースである基地局通信インターフェース４２と、端末７０との通信インターフェースである端末通信インターフェース４４と、ＳｅＮＢ１０および端末７０との通信制御等を行う制御部４６とを有する。
【００２７】
制御部４６は、ハンドオーバ要求受信部４８と、ハンドオーバ可否判定部５０と、ハンドオーバ応答送信部５２と、個別信号送信部５４と、ＲＡＣＨプレアンブル受信部５６とを備えている。なお、図４では、ハンドオーバを行うために必要な構成について記載しているが、ＴｅＮＢ４０は上記の構成のほかにも、通信制御等に必要な構成を有している。
【００２８】
ハンドオーバ要求受信部４８は、ＳｅＮＢ１０から送信されるハンドオーバ要求を受信する。ハンドオーバ可否判定部５０は、新しく端末７０に割り当てるリソースがあるか等に基づいてハンドオーバの可否を判定する。ハンドオーバ応答送信部５２は、ハンドオーバ要求に対するハンドオーバ応答を送信する。ここで、ハンドオーバ応答には、第２のセル内においてＴｅＮＢ４０が端末７０を識別する識別情報を含める。個別信号送信部５４は、ハンドオーバが可能であると判定されたときに個別チャネルを用いて端末７０にハンドオーバコマンドを含む個別信号を送信する。ＲＡＣＨプレアンブル受信部５６は、端末７０から送信されるＲＡＣＨプレアンブルを受信する。
【００２９】
次に、図１を参照して第１の実施の形態の無線通信システム１の動作について説明する。図１は、ＳｅＮＢ１０と通信中の端末７０がＴｅＮＢ４０にハンドオーバする際の動作を示している。端末７０は、ＳｅＮＢ１０に測定報告を定期的に送信する（Ｓ２）。ＳｅＮＢ１０は、ＳｅＮＢ１０からの電波の受信品質と、ＴｅＮＢ４０からの電波の受信品質を比較し、ハンドオーバすべきか否か判定する（Ｓ４）。例えば、ＳｅＮＢ１０は、ＴｅＮＢ４０からの電波の受信品質がＳｅＮＢ１０からの電波より所定の閾値以上良好である場合には、ハンドオーバすべきと判定し、ＳｅＮＢ１０からの電波の受信品質がＴｅＮＢ４０よりも良好な場合には、ハンドオーバすべきでないと判定する。ＳｅＮＢ１０は、ハンドオーバすべきでないと判定された場合には（Ｓ４でＮＯ）、次の測定報告の受信を待つ。
【００３０】
ハンドオーバすべきと判定された場合には（Ｓ４でＹＥＳ）、ＳｅＮＢ１０は、測定報告にて通知されたセルＩＤに対応する識別子を有するＴｅＮＢ４０をＮＣＬ１６から抽出する。続いて、ＳｅＮＢ１０は、抽出したＣＳＧセルＣ２のＴｅＮＢ４０のうち、端末７０のＴＡＩＤと同じＴＡＩＤを有するＴｅＮＢ４０を求め（Ｓ６）、ＴｅＮＢがＣＳＧセルの基地局であるか否かを判定する（Ｓ８）。ＴｅＮＢがＣＳＧセルの場合は（Ｓ８でＹＥＳ）、求めたＴｅＮＢ４０に対してハンドオーバ要求を送信する（Ｓ１０）。ＴｅＮＢがＣＳＧセルでない場合は（Ｓ８でＮＯ）、マクロセルのハンドオーバ処理を行う。
【００３１】
ハンドオーバ要求を受信したＴｅＮＢ４０は、ハンドオーバが可能であるか否かを判定する（Ｓ１２）。ＴｅＮＢ４０は、ハンドオーバ可能な場合には（Ｓ１２でＹＥＳ）ハンドオーバ応答をＳｅＮＢ１０に送信する（Ｓ１４）。なお、図１は、ハンドオーバが可能な場合について記載している。ハンドオーバが不可能な場合（Ｓ１２でＮＯ）には、無線通信システム１は、ステップＳ１４以降の動作を行わないで、フローを終了する。ハンドオーバ可能な場合、ハンドオーバ応答にこのＴｅＮＢ４０における端末７０の識別情報を含める。本実施の形態では、この識別情報として、Ｃ−ＲＮＴＩを用いる。
【００３２】
ＳｅＮＢ１０は、ＴｅＮＢ４０からハンドオーバ応答を受信すると（Ｓ１４）、ハンドオーバ応答に含まれるＣ−ＲＮＴＩを端末７０に送信する（Ｓ１６）。端末７０はＳｅＮＢ１０から送信されたＣ−ＲＮＴＩを受信することで、個別チャネルを通じてＴｅＮＢ４０から送信される端末７０宛の個別信号を受信できるようになる。
【００３３】
ＴｅＮＢ４０は、Ｓ１２でハンドオーバが可能であると判定された場合、個別チャネルを通じて、端末７０への個別信号の送信を開始する（Ｓ１８）。ここで、個別信号には、アクセス情報およびハンドオーバコマンドに含まれる情報、例えば上り回線の同期処理に必要な情報が含まれる。ＴｅＮＢ４０は、端末７０が個別信号を受信して、ＲＡＣＨプレアンブルが送信されてくるまで、個別信号を繰り返し送信する（Ｓ２０）。ＴｅＮＢ４０から端末７０へ繰り返し送信する個別信号の送信間隔は、端末７０のｇａｐ期間より短くする。
【００３４】
端末７０は、個別信号を受信したか否かを判定する（Ｓ２２）。端末７０のｇａｐ期間に個別信号が送信されてくると、端末７０は個別信号を受信することができる。端末７０は、個別信号を受信すると（Ｓ２２でＹＥＳ）、ＴｅＮＢ４０に対するアクセスが許可されていることを確認する。本実施の形態では、ステップＳ６にて、ＳｅＮＢ１０は、端末７０からのアクセスが可能なＴｅＮＢ４０にのみハンドオーバ要求を送信しているので、端末７０は、個別信号を送信しているＴｅＮＢ４０に対するアクセスが許可されている。従って、個別信号の受信は、個別信号送信元のＴｅＮＢ４０へのアクセスが許可されていることを意味する。個別信号を一定時間待って受信できなければ（Ｓ２２でＮＯ）、ハンドオーバー失敗とみなしてハンドオーバ失敗をＳｅＮＢに送信する（Ｓ２４）。ここでの一定時間は、ｇａｐ期間の間隔に相当する時間を意味する。
【００３５】
端末７０は、個別信号を受信すると、個別信号に含まれるハンドオーバコマンドに基づいて、ハンドオーバの処理を開始する。具体的には、端末７０は、ＴｅＮＢ４０に対し、上り回線の同期処理を開始するためのＲＡＣＨプレアンブルを送信し（Ｓ２６）、ＴｅＮＢ４０への接続処理を開始する。ＴｅＮＢ４０は、ＲＡＣＨプレアンブルを受信すると、個別信号の送信を停止する（Ｓ２８）。
【００３６】
なお、端末７０が一定時間にわたって個別信号を受信しなかった場合には、端末７０は、アクセスが許可されていないＣＳＧセルＣ２に近づいていると考えられる。ここでの一定時間は、ｇａｐ期間の間隔に相当する時間を意味する。ＴｅＮＢ４０は、個別信号の送信開始から一定時間が経過した場合には、個別信号の送信を停止する。以上、第１の実施の形態の無線通信システム１および基地局１０，４０について説明した。
【００３７】
第１の実施の形態のＴｅＮＢ４０はＣ−ＲＮＴＩを含むハンドオーバ応答を送信し、ＳｅＮＢ１０から端末７０に対してＣ−ＲＮＴＩを通知させる構成を採用することにより、ハンドオーバコマンドの指示を受ける前にＴｅＮＢ４０における個別チャネルを割り当てることができ、円滑にハンドオーバ処理を行うことができる。
【００３８】
次に、個別信号をｇａｐ期間より短い送信間隔で送信していることによる効果について説明する。
図５は、第１の実施の形態の無線通信システム１におけるハンドオーバ時に送受信される信号の流れの一例を示す図である。図５に示すように、第１の実施の形態のＴｅＮＢ４０は、ｇａｐ期間より短い間隔で個別信号を繰り返し送信しているので、ｇａｐ期間に少なくとも一度は個別信号が送信されることになる。従って、端末７０は、最初のｇａｐ期間に、確実に個別信号を受信することができ、短時間でハンドオーバを行うことができる。
【００３９】
（第２の実施の形態）
次に、第２の実施の形態の無線通信システムについて説明する。第２の実施の形態の無線通信システムも、第１の実施の形態と同様に、マクロセルＣ１の基地局（ＳｅＮＢ）１０と、マクロセルＣ１に含まれる複数のＣＳＧセルＣ２の基地局（ＴｅＮＢ）４０と、端末７０とを有している。
【００４０】
図６は、ハンドオーバ元の基地局（ＳｅＮＢ）１０の構成を示す図である。ＳｅＮＢ１０は、ＣＳＧセルＣ２のＴｅＮＢ４０との通信インターフェースである基地局通信インターフェース１２と、端末７０との通信のインターフェースである端末通信インターフェース１４と、隣接セルの情報を記憶したＮＣＬ１６と、ＴｅＮＢ４０および端末７０との通信制御等を行う制御部１８とを有する。なお、図６では、ハンドオーバを行うために必要な構成について記載しているが、ＳｅＮＢ１０は上記の構成のほかにも、通信制御等に必要な構成を有している。
【００４１】
制御部１８は、測定報告受信部２０と、ハンドオーバ判定部２２と、ハンドオーバ要求送信部２４と、ハンドオーバ応答受信部２６と、アクセス許否判定部３２と、ハンドオーバコマンド送信部３０とを有する。
【００４２】
測定報告受信部２０は、端末７０から送信される測定報告を受信する。測定報告には、端末７０が電波を検知したＴｅＮＢ４０のセルＩＤとその電波の受信品質の情報が含まれている。ハンドオーバ判定部２２は、測定報告に基づいてハンドオーバをすべきか否かを判定する。
【００４３】
ハンドオーバ要求送信部２４は、ハンドオーバ判定部２２にてハンドオーバすべきと判定された場合に、ハンドオーバ先のＴｅＮＢ４０にハンドオーバ要求を送信する。ハンドオーバ要求送信部２４は、ＮＣＬ１６のデータを用いて、ＣＳＧセルのセルＩＤを求める。そして、ハンドオーバ要求送信部２４は、端末７０からの測定報告にて通知されたセルＩＤを有するＣＳＧセルＣ２のＴｅＮＢ４０にハンドオーバ要求を送信する。
【００４４】
ハンドオーバ応答受信部２６は、ハンドオーバ要求に対してＴｅＮＢ４０から送信されるハンドオーバ応答を受信する。アクセス許否判定部３２は、端末７０から送信された測定報告に含まれるアクセス情報に基づいて、端末７０からハンドオーバ先のＴｅＮＢ４０へのアクセスが許可されているか否かを判定する。ハンドオーバコマンド送信部３０は、端末７０にハンドオーバコマンドを送信する。
【００４５】
図７は、ハンドオーバ先の基地局（ＴｅＮＢ）４０の構成を示す図である。ＴｅＮＢ４０は、ＳｅＮＢ１０との通信インターフェースである基地局通信インターフェース４２と、端末７０との通信インターフェースである端末通信インターフェース４４と、ＳｅＮＢ１０および端末７０との通信制御等を行う制御部４６とを有する。
【００４６】
制御部４６は、ハンドオーバ要求受信部４８と、ハンドオーバ可否判定部５０と、ハンドオーバ応答送信部５２と、報知情報送信部５８と、ＲＡＣＨプレアンブル受信部５６とを備えている。なお、図７では、ハンドオーバを行うために必要な構成について記載しているが、ＴｅＮＢ４０は上記の構成のほかにも、通信制御等に必要な構成を有している。
【００４７】
ハンドオーバ要求受信部４８は、ＳｅＮＢ１０から送信されるハンドオーバ要求を受信する。ハンドオーバ可否判定部５０は、新しく端末７０に割り当てるリソースがあるか等に基づいてハンドオーバの可否を判定する。ハンドオーバ応答送信部５２は、ハンドオーバ要求に対するハンドオーバ応答を送信する。報知情報送信部５８は、共通チャネルを通じて、アクセス情報を含む報知情報（ＳＵ−１信号）を送信する。報知情報送信部５８は、ハンドオーバ要求受信部４８にて受信したハンドオーバ要求についてハンドオーバが可能であると判定されたときに、報知情報の送信間隔をｇａｐ期間より短くする。ＲＡＣＨプレアンブル受信部５６は、端末７０から送信されるＲＡＣＨプレアンブルを受信する。
【００４８】
図８は、第２の実施の形態の無線通信システムにおけるハンドオーバの動作を示すフローチャートである。端末７０は、通信中のＳｅＮＢ１０に対して、測定報告を送信する（Ｓ３０）。ＳｅＮＢ１０は、ＳｅＮＢ１０からの電波の受信品質とＴｅＮＢ４０からの電波の受信品質を比較し、ハンドオーバすべきか否か判定する（Ｓ３２）。ＳｅＮＢ１０は、ハンドオーバすべきでないと判定した場合には（Ｓ３２でＮＯ）、次の測定報告の受信を待つ。
【００４９】
ハンドオーバすべきと判定した場合には（Ｓ３２でＹＥＳ）、ＳｅＮＢ１０は、測定報告にて通知されたセルＩＤに対応する識別子を有するＴｅＮＢ４０をＮＣＬ１６から抽出する（Ｓ３４）。続いて、ＴｅＮＢがＣＳＧセルの場合は（Ｓ３６でＹＥＳ）、ＳｅＮＢ１０は、抽出したＣＳＧセルＣ２のＴｅＮＢ４０に対してハンドオーバ要求を送信する（Ｓ３８）。ＴｅＮＢがＣＳＧセルでない場合は（Ｓ３６でＮＯ）、マクロセルのハンドオーバ処理を行う。
【００５０】
ハンドオーバ要求を受信したＴｅＮＢ４０は、ハンドオーバが可能であるか否かを判定し（Ｓ４０）、ハンドオーバ可能な場合には（Ｓ４０でＹＥＳ）ハンドオーバ応答をＳｅＮＢ１０に送信する（Ｓ４２）。ハンドオーバが不可能な場合（Ｓ４０でＮＯ）には、無線通信システムは、ステップＳ４２以降の動作を行わないで、フローを終了する。ハンドオーバが可能な場合、ＴｅＮＢ４０は、ＳＵ−１信号の送信間隔をハンドオーバ要求の受信前より短くし（Ｓ４４）、ＳＵ−１信号を繰り返し送信する（Ｓ４６）。
【００５１】
端末７０は、ＳＵ−１信号を受信したか否かを判定する（Ｓ４８）。ＳＵ−１を一定時間待って受信できなければ（Ｓ４８でＮＯ）、ハンドオーバ失敗とみなして、ハンドオーバ失敗をＳｅＮＢに送信する（Ｓ５０）。ここでの一定時間は、ｇａｐ期間の間隔に相当する時間を意味する。ｇａｐ期間にＳＵ−１信号が送信されてくると、端末７０は、ＳＵ−１信号を受信することができる。端末７０は、ＳＵ−１信号を受信したと判定すると（Ｓ４８でＹＥＳ）、ＳＵ−１信号からＴｅＮＢ４０のＴＡＩＤを読み出す。そして、端末７０は、ＴｅＮＢ４０のＴＡＩＤと自端末７０のＴＡＩＤとを比較して、ＴｅＮＢ４０に対するアクセスが許可されているか否かを判定する。そして、端末は、アクセス許否の判定結果を含む測定報告をＳｅＮＢ１０に送信する（Ｓ５２）。
【００５２】
ＳｅＮＢ１０は、端末７０から測定報告を受信すると、測定報告に基づいてＴｅＮＢ４０に対するアクセスが許可されているか否かを判定する。ＳｅＮＢ１０は、端末７０のアクセスが許可されている場合には、端末７０にハンドオーバコマンドを送信する（Ｓ５４）。端末７０は、ハンドオーバコマンドを受信すると、ハンドオーバの処理を開始する。具体的には、端末７０は、ＴｅＮＢ４０に対し、上り回線の同期処理を開始するためのＲＡＣＨプレアンブルを送信し（Ｓ５６）、ＴｅＮＢ４０への接続処理を開始する。ＴｅＮＢ４０は、ＲＡＣＨプレアンブルを受信すると、ＳＵ−１信号の送信間隔をハンドオーバ処理の開始前の間隔に戻す（Ｓ５８）。以上、第２の実施の形態の無線通信システムについて説明した。
【００５３】
第２の実施の形態のＴｅＮＢ４０はハンドオーバ可能であると判定したときに、端末７０に対して送信するＳＵ−１信号の送信間隔をハンドオーバ要求の受信前より小さくする構成を採用しているので、端末７０は、ＴｅＮＢ４０から送信されるアクセス情報を含むＳＵ−１信号を、送信間隔を短くした後の最初のｇａｐ期間に確実に受信できる。
【００５４】
図９、図１０は、第２の実施の形態の無線通信システムにおけるハンドオーバ時に送受信される信号の流れの一例を示す図である。図９は、アクセスが許可されたＴｅＮＢ４０に端末７０が近づいた場合の信号の流れを示し、図１０は、アクセスが許可されていないＴｅＮＢ４０に端末７０が近づいた場合の信号の流れを示している。
【００５５】
図９に示すように、第２の実施の形態のＴｅＮＢ４０は、ｇａｐ期間より短い間隔でＳＵ−１信号を送信しているので、端末７０は、アクセスが許可されたＴｅＮＢ４０から送信されるＳＵ−１を、ＳＵ−１の送信間隔を短くしてから最初のｇａｐ期間に受信することができる。これにより、短時間でハンドオーバを行うことができる。
【００５６】
第２の実施の形態では、図１０に示すように、端末７０からのアクセスを許可していないＴｅＮＢ４０からもｇａｐ期間より短い間隔でＳＵ−１信号を送信するので、端末７０は、ＳＵ−１信号を受信した時点で、そのＳＵ−１信号に含まれるアクセス情報に基づいて、ＴｅＮＢ４０に対するアクセスを許可されていないことを知ることができる。
【００５７】
なお、端末７０は、図１０に示すように、アクセスを許可していないＴｅＮＢ４０に対して、ＲＡＣＨプレアンブルを送信することはない。また、同じく図１０に示すように、端末７０が、アクセスを許可しているＴｅＮＢ４０から離れている場合にも、ＲＡＣＨプレアンブルをＴｅＮＢ４０に送信しない。従って、ＴｅＮＢ４０がＳＵ−１信号の送信間隔を元に戻すためのトリガとしてタイマを用いてもよい。すなわち、ＴｅＮＢ４０は、ＳＵ−１信号の送信間隔を短くしてから一定時間が経過したら、ＳＵ−１信号の送信間隔を元に戻す処理を行う。ここでの一定時間は、ｇａｐ期間の間隔に相当する時間を意味する。
【００５８】
上記した本実施の形態では、ＳＵ−１信号の送信間隔をｇａｐ期間より短くする例について説明したが、ＳＵ−１信号の送信間隔がｇａｐ期間より長くても、ハンドオーバ要求を受信する前のＳＵ−１信号の送信間隔より短くすれば、ＳＵ−１信号の受信の確率が高くなるという効果を有する。このような態様も本発明に含むものとする。
【００５９】
図１１は、第２の実施の形態の別の態様の無線通信システムにおけるハンドオーバの動作を示すフローチャートである。端末７０は、通信中のＳｅＮＢ１０に対して、測定報告を送信する（Ｓ３０）。ＳｅＮＢ１０は、測定報告を受信し、ＳｅＮＢ１０からの電波の受信品質とＴｅＮＢ４０からの電波の受信品質を比較し、ハンドオーバすべきか否か判定する（Ｓ３２）。ＳｅＮＢ１０は、ハンドオーバすべきでないと判定した場合には（Ｓ３２でＮＯ）、次の測定報告の受信を待つ。
【００６０】
ハンドオーバすべきと判定した場合には（Ｓ３２でＹＥＳ）、ＳｅＮＢ１０は、測定報告にて通知されたセルＩＤに対応する識別子を有するＴｅＮＢ４０をＮＣＬ１６から抽出する（Ｓ３４）。続いて、ＳｅＮＢは、ＴｅＮＢがＣＳＧセルの基地局であるか否か判定する（Ｓ３６）。ＴｅＮＢがＣＳＧセルの場合は（Ｓ３６でＹＥＳ）、ＳｅＮＢ１０は、抽出したＣＳＧセルＣ２のＴｅＮＢ４０に対してＳＵ−１送信頻度変更命令を送信する（Ｓ３９）。ＴｅＮＢがＣＳＧセルでない場合は（Ｓ３６でＮＯ）、マクロセルのハンドオーバ処理を行う。
【００６１】
ＳＵ−１送信頻度変更命令を受信したＴｅＮＢ４０は、ＳＵ−１信号の送信間隔をハンドオーバ要求の受信前より短くし（Ｓ４４）、ＳＵ−１信号を繰り返し送信する（Ｓ４６）。
【００６２】
端末７０は、ＳＵ−１信号を受信したか否かを判定する（Ｓ４８）。ｇａｐ期間にＳＵ−１信号が送信されてくると、端末７０は、ＳＵ−１信号を受信することができる。端末７０は、ＳＵ−１信号を受信したと判定すると（Ｓ４８でＹＥＳ）、ＳＵ−１信号からＴｅＮＢ４０のＴＡＩＤを読み出す。そして、端末７０は、ＴｅＮＢ４０のＴＡＩＤと自端末７０のＴＡＩＤとを比較して、ＴｅＮＢ４０に対するアクセスが許可されているか否かを判定する。そして、端末は、アクセス許否の判定結果を含む測定報告をＳｅＮＢ１０に送信する（Ｓ５２）。ＳＵ−１を一定時間待って受信できなければ（Ｓ４８でＮＯ）、ハンドオーバー失敗とみなして、ハンドオーバ失敗をＳｅＮＢに送信する（Ｓ５０）。ここでの一定時間は、ｇａｐ期間の間隔に相当する時間を意味する。
【００６３】
ＳｅＮＢ１０は、端末７０から測定報告を受信すると、測定報告に基づいてＴｅＮＢ４０に対するアクセスが許可されているか否かを判定する。ＳｅＮＢ１０は、端末７０のアクセスが許可されている場合には、ＴｅＮＢ４０に対してハンドオーバ要求を送信する（Ｓ３８）。ハンドオーバ要求を受信したＴｅＮＢ４０は、ハンドオーバが可能であるか否かを判定し（Ｓ４０）、ハンドオーバ可能な場合にはハンドオーバ応答をＳｅＮＢ１０に送信する（Ｓ４２）。なお、図１１は、ハンドオーバが可能な場合について記載している。ハンドオーバが不可能な場合（Ｓ４０でＮＯ）には、無線通信システムは、ステップＳ４２以降の動作を行わないで、フローを終了する。ＳｅＮＢ１０は、ＴｅＮＢ４０からハンドオーバ応答を受信すると、端末７０にハンドオーバコマンドを送信する（Ｓ５４）。端末７０は、ハンドオーバコマンドを受信すると、ハンドオーバの処理を開始する。具体的には、端末７０は、ＴｅＮＢ４０に対し、上り回線の同期処理を開始するためのＲＡＣＨプレアンブルを送信し（Ｓ５６）、ＴｅＮＢ４０への接続処理を開始する。ＴｅＮＢ４０は、ＲＡＣＨプレアンブルを受信すると、ＳＵ−１信号の送信間隔をハンドオーバ処理の開始前の間隔に戻す（Ｓ５８）。以上、第２の実施の形態の無線通信システムについて説明した。
【００６４】
第２の実施の形態のＴｅＮＢ４０はハンドオーバ可能であると判定したときに、端末７０に対して送信するＳＵ−１信号の送信間隔をハンドオーバ要求の受信前より小さくする構成を採用しているので、端末７０は、ＴｅＮＢ４０から送信されるアクセス情報を含むＳＵ−１信号を、送信間隔を短くした後の最初のｇａｐ期間に確実に受信できる。
【００６５】
図１２、図１３は、第２の実施の形態の別の態様の無線通信システムにおけるハンドオーバ時に送受信される信号の流れの一例を示す図である。図１２は、アクセスが許可されたＴｅＮＢ４０に端末７０が近づいた場合の信号の流れを示し、図１３は、アクセスが許可されていないＴｅＮＢ４０に端末７０が近づいた場合の信号の流れを示している。
【００６６】
図１２に示すように、第２の実施の形態のＴｅＮＢ４０は、ｇａｐ期間より短い間隔でＳＵ−１信号を送信しているので、端末７０は、アクセスが許可されたＴｅＮＢ４０から送信される個別信号を、個別信号の送信を開始してから最初のｇａｐ期間に受信することができる。これにより、短時間でハンドオーバを行うことができる。
【００６７】
第２の実施の形態では、図１３に示すように、端末７０からのアクセスを許可していないＴｅＮＢ４０からもｇａｐ期間より短い間隔でＳＵ−１信号を送信するので、端末７０は、ＳＵ−１信号を受信した時点で、そのＳＵ−１信号に含まれるアクセス情報に基づいて、ＴｅＮＢ４０に対するアクセスを許可されていないことを知ることができる。
【００６８】
なお、端末７０は、図１３に示すように、アクセスを許可していないＴｅＮＢ４０に対して、ＲＡＣＨプレアンブルを送信することはない。また、同じく図１３に示すように、端末７０が、アクセスを許可しているＴｅＮＢ４０から離れている場合にも、ＲＡＣＨプレアンブルをＴｅＮＢ４０に送信しない。従って、ＴｅＮＢ４０がＳＵ−１信号の送信間隔を元に戻すためのトリガとしてタイマを用いてもよい。すなわち、ＴｅＮＢ４０は、ＳＵ−１信号の送信間隔を短くしてから一定時間が経過したら、ＳＵ−１信号の送信間隔を元に戻す処理を行う。ここでの一定時間は、ｇａｐ期間の間隔に相当する時間を意味する。
【００６９】
上記した本実施の形態では、ＳＵ−１信号の送信間隔をｇａｐ期間より短くする例について説明したが、ＳＵ−１信号の送信間隔がｇａｐ期間より長くても、ハンドオーバ要求を受信する前のＳＵ−１信号の送信間隔より短くすれば、ＳＵ−１信号の受信の確率が高くなるという効果を有する。このような態様も本発明に含むものとする。
【００７０】
（第３の実施の形態）
次に、本発明の第３の実施の形態の無線通信システムおよび基地局について説明する。第３の実施の形態の基地局の基本的な構成は、第２の実施の形態の基地局と同じである（図６、図７参照）。しかし、第３の実施の形態においては、ＳｅＮＢ１０は、ハンドオーバをすべきと判定したときに、ハンドオーバの対象の端末７０からのアクセスを許可しているＴｅＮＢ４０に対してのみハンドオーバ要求を送信する点が第２の実施の形態のＳｅＮＢ１０と異なる。すなわち、ハンドオーバ要求送信部２４は、ＮＣＬ１６に基づいて、測定報告を送信してきた端末７０のＴＡＩＤと同じＴＡＩＤを有するＴｅＮＢ４０を求め、求めたＴｅＮＢ４０に対してハンドオーバ要求を送信する。
【００７１】
図１４は、第３の実施の形態の無線通信システムにおけるハンドオーバの動作を示すフローチャートである。第３の実施の形態の無線通信システムのハンドオーバの基本的な動作は、第２の実施の形態の無線通信システムにおけるハンドオーバの動作と同じである。以下では、第２の実施の形態の無線通信システムの動作と異なる点を中心に説明する。
【００７２】
第３の実施の形態の無線通信システムでは、ＳｅＮＢ１０がハンドオーバすべきと判定した場合（Ｓ３２でＹＥＳ）、ＳｅＮＢ１０は、ＮＣＬ１６から、測定報告にて通知されたセルＩＤに対応するＴｅＮＢ４０を抽出する。続いて、ＳｅＮＢ１０は、抽出したＴｅＮＢ４０のうち、端末７０のＴＡＩＤと同じＴＡＩＤを有するＴｅＮＢ４０を求め（Ｓ３５）、求めたＴｅＮＢ４０に対してハンドオーバ要求を送信する（Ｓ３６）。
【００７３】
ハンドオーバ要求を受信したＴｅＮＢ４０の動作は、第２の実施の形態と同じである。ハンドオーバ要求を受信していないＴｅＮＢ４０は、ハンドオーバに関する処理を行わず、ＳＵ−１信号を一定間隔で送信する。
【００７４】
図１５は、第３の実施の形態の無線通信システムにおけるハンドオーバ時に送受信される信号の流れの一例を示す図である。図１５に示すように、ＳｅＮＢ１０は、アクセスが許可されたＴｅＮＢ４０に対してハンドオーバ要求を送信し、アクセスが許可されていないＴｅＮＢ４０に対してハンドオーバ要求を送信しない。従って、端末７０からのアクセスを許可していないＴｅＮＢ４０が頻繁にＳＵ−１信号を送信するという事態を防止でき、ＳＵ−１信号を送信するリソースの浪費を防止できる。
【００７５】
端末７０が、アクセスが許可されていないＣＳＧセルＣ２に近づいており、アクセスが許可されたＣＳＧセルＣ２から離れている場合には、端末７０はＳＵ−１信号を受信できない。従って、端末７０が一定時間にわたってＳＵ−１信号を受信しなかった場合、すなわち、ＳＵ−１信号の送信間隔を短くしてから一定時間経過してもＲＡＣＨプレアンブルが送信されてこない場合には、ＴｅＮＢ４０は、ＳＵ−１信号の送信間隔を元に戻す。
【００７６】
図１６は、第３の実施の形態の別の態様の無線通信システムにおけるハンドオーバの動作を示すフローチャートである。第３の実施の形態の無線通信システムのハンドオーバの基本的な動作は、第２の実施の形態の無線通信システムにおけるハンドオーバの動作と同じである。以下では、第２の実施の形態の無線通信システムの動作と異なる点を中心に説明する。
【００７７】
第３の実施の形態の無線通信システムでは、ＳｅＮＢ１０がハンドオーバすべきと判定した場合（Ｓ３２でＹＥＳ）、ＳｅＮＢ１０は、ＮＣＬ１６から、測定報告にて通知されたセルＩＤに対応するＴｅＮＢ４０を抽出する。続いて、ＳｅＮＢ１０は、抽出したＴｅＮＢ４０のうち、端末７０のＴＡＩＤと同じＴＡＩＤを有するＴｅＮＢ４０を求め（Ｓ３５）、求めたＴｅＮＢ４０に対してＳＵ−１送信頻度変更命令を送信する（Ｓ３９）。
【００７８】
ＳＵ−１送信頻度変更命令を受信したＴｅＮＢ４０の動作は、第２の実施の形態と同じである。ＳＵ−１送信頻度変更命令を受信していないＴｅＮＢ４０は、ハンドオーバに関する処理を行わず、ＳＵ−１信号を一定間隔で送信する。
【００７９】
図１７は、第３の実施の形態の別の態様の無線通信システムにおけるハンドオーバ時に送受信される信号の流れの一例を示す図である。図１７に示すように、ＳｅＮＢ１０は、アクセスが許可されたＴｅＮＢ４０に対してＳＵ−１送信頻度変更命令を送信し、アクセスが許可されていないＴｅＮＢ４０に対してＳＵ−１送信頻度変更命令を送信しない。従って、端末７０からのアクセスを許可していないＴｅＮＢ４０が頻繁にＳＵ−１信号を送信するという事態を防止でき、ＳＵ−１信号を送信するリソースの浪費を防止できる。
【００８０】
端末７０が、アクセスが許可されていないＣＳＧセルＣ２に近づいており、アクセスが許可されたＣＳＧセルＣ２から離れている場合には、端末７０はＳＵ−１信号を受信できない。従って、端末７０が一定時間にわたってＳＵ−１信号を受信しなかった場合、すなわち、ＳＵ−１信号の送信間隔を短くしてから一定時間経過してもＲＡＣＨプレアンブルが送信されてこない場合には、ＴｅＮＢ４０は、ＳＵ−１信号の送信間隔を元に戻す。
【００８１】
（第４の実施の形態）
次に、本発明の第４の実施の形態の無線通信システムおよび基地局について説明する。第４の実施の形態の基地局の基本的な構成は、第３の実施の形態の基地局と同じである（図６、図７参照）。しかし、第４の実施の形態においては、ＳｅＮＢ１０は、ハンドオーバ応答を受信したあとに、即座にハンドオーバコマンドを端末７０に対して送信する点が異なる。この際、ハンドオーバコマンドには端末７０に対してＳＵ−１を受信させる指示命令が含まれる。
【００８２】
また、第４の実施の形態においてはＳＵ−１信号の送信頻度の変更を行わない点も第３の実施の形態とは異なる。これにより、ハンドオーバコマンドを受信した端末７０はハンドオーバコマンドを受信後にＴｅＮＢ４０からのＳＵ−１信号の受信を開始する。端末７０は、ＳＵ−１信号を受信して、ＴｅＮＢ４０のＴＡＩＤと自端末７０のＴＡＩＤとを比較して、ＴｅＮＢ４０に対するアクセスが許可されているか否かを判定する。そして、端末７０は、アクセス許可がある場合はＲＡＣＨプレアンブルをＴｅＮＢ４０に送信し、アクセス許可が無い場合はハンドオーバ失敗をＳｅＮＢに送信する。これにより端末７０がアクセス可能なＣＳＧセルに近づいている場合にはハンドオーバー時間を大幅に短縮できる。
【００８３】
図１８は第４の実施の形態の無線通信システムにおけるハンドオーバの動作を示すフローチャートである。端末７０は、通信中のＳｅＮＢ１０に対して、測定報告を送信する（Ｓ３０）。ＳｅＮＢ１０は、ＳｅＮＢ１０からの電波の受信品質とＴｅＮＢ４０からの電波の受信品質を比較し、ハンドオーバすべきか否か判定する（Ｓ３２）。ＳｅＮＢ１０は、ハンドオーバすべきでないと判定した場合には（Ｓ３２でＮＯ）、次の測定報告の受信を待つ。
【００８４】
ハンドオーバすべきと判定した場合には（Ｓ３２でＹＥＳ）、ＳｅＮＢ１０は、測定報告にて通知されたセルＩＤに対応する識別子を有するＴｅＮＢ４０をＮＣＬ１６から抽出する（Ｓ３４）。続いて、ＳｅＮＢ１０は、ＴｅＮＢがＣＳＧセルの基地局か否か判定する（Ｓ３６）。ＴｅＮＢがＣＳＧセルの場合は（Ｓ３６でＹＥＳ）、ＳｅＮＢ１０は、抽出したＣＳＧセルＣ２のＴｅＮＢ４０に対してハンドオーバ要求を送信する（Ｓ３８）。ＴｅＮＢがＣＳＧセルでない場合は（Ｓ３６でＮＯ）、マクロセルのハンドオーバ処理を行う。
【００８５】
ハンドオーバ要求を受信したＴｅＮＢ４０は、ハンドオーバが可能であるか否かを判定し（Ｓ４０）、ハンドオーバ可能な場合にはハンドオーバ応答をＳｅＮＢ１０に送信する（Ｓ４２）。ハンドオーバが不可能な場合（Ｓ３８でＮＯ）には、無線通信システムは、ステップＳ４０以降の動作を行わないで、フローを終了する。
【００８６】
ＳｅＮＢ１０はハンドオーバ応答を受信後、端末７０に対してハンドオーバコマンドを送信する（Ｓ５４）。このハンドオーバコマンドには端末がＳＵ−１信号の受信をするよう指示命令が含まれており、これにより端末７０は、ＳＵ−１信号の受信処理を開始し、ＳＵ−１信号を受信する。端末７０は、ハンドオーバコマンド受信後にはＴｅＮＢ４０の送信周波数帯で受信できるため、ｇａｐを設けてＴｅＮＢ４０からの信号を受信する必要はない。従って、端末７０は、ｇａｐを設けない通常の受信処理でＴｅＮＢからのＳＵ−１信号を受信できる。端末７０は、ＳＵ−１信号からＴｅＮＢ４０のＴＡＩＤを読み出す。そして、端末７０は、ＴｅＮＢ４０のＴＡＩＤと自端末７０のＴＡＩＤとを比較してＴｅＮＢ４０に対するアクセスが許可されているか否か判定する（Ｓ６２）。ＴｅＮＢ４０に対するアクセス許可されていれば（Ｓ６２でＹＥＳ）、ＴｅＮＢ４０に対し、上り回線の同期処理を開始するためのＲＡＣＨプレアンブルを送信する（Ｓ６６）。一方、ＴｅＮＢ４０に対するアクセス許可が無ければ（Ｓ６４でＮＯ）、ハンドオーバ失敗とみなしてハンドオーバ失敗をＳｅＮＢに送信する（Ｓ４７）。以上、第４の実施の形態の無線通信システムについて説明した。
【００８７】
第４の実施の形態はＳｅＮＢ１０がハンドオーバコマンドによって端末７０にＳＵ−１信号の受信を指示することで、端末７０は受信周波数帯を切り換えるので、ｇａｐ期間を用いずにＳＵ−１信号を受信することが可能になる。これによりＴｅＮＢ４０がＳＵ−１信号の送信間隔の変更をすることなく、端末７０は確実にアクセス確認が可能となり、ハンドオーバ時間を短くすることが可能となる。
【００８８】
図１９、図２０は、第４の実施の形態の無線通信システムにおけるハンドオーバ時に送受信される信号の流れの一例を示す図である。図１９は、アクセスが許可されたＴｅＮＢ４０に端末７０が近づいた場合の信号の流れを示し、図２０は、アクセスが許可されていないＴｅＮＢ４０に端末７０が近づいた場合の信号の流れを示している。
【００８９】
図１９に示すように、第４の実施の形態の端末７０は、ｇａｐ期間を用いないでＳＵ−１信号を受信できる。これにより、短時間でハンドオーバを行うことができる。
【００９０】
なお、端末７０は、図２０に示すように、アクセスを許可していないＴｅＮＢ４０に対して、ＲＡＣＨプレアンブルを送信することはない。また、同じく図２０に示すように、端末７０が、アクセスを許可しているＴｅＮＢ４０から離れている場合にも、ＲＡＣＨプレアンブルをＴｅＮＢ４０に送信しない。
【００９１】
以上、本発明の基地局、無線通信システムおよびハンドオーバ方法について、実施の形態を挙げて詳細に説明したが、本発明は上記した実施の形態に限定されるものではない。上記した実施の形態では、個別信号またはＳＵ−１信号を用いて端末にアクセス情報を通
知する例について説明しているが、これら以外の信号によって端末にアクセス情報を通知してもよい。この場合には、アクセス情報を通知するための信号の送信間隔をハンドオーバ要求の受信前より短く、好ましくはｇａｐ期間より短くすることにより、ハンドオーバに要する時間を短縮できる。
【００９２】
（第５の実施の形態）
次に、本発明の第５の実施の形態の無線通信システムおよび基地局および端末について説明する。第５の実施の形態の無線通信システムでは、端末のｇａｐ期間のタイミングを制御することにより、ハンドオーバに要する時間を短縮する。
【００９３】
図２３は、ハンドオーバ元の基地局（ＳｅＮＢ）１０の構成を示す図である。ＳｅＮＢ１０は、ＣＳＧセルＣ２のＴｅＮＢ４０との通信インターフェースである基地局通信インターフェース１２と、端末７０との通信インターフェースである端末通信インターフェース１４と、隣接セルの情報を記憶したＮＣＬ１６と、ＴｅＮＢ４０および端末７０との通信を制御する制御部１８とを有する。ＮＣＬ１６は、ＳｅＮＢ１０に隣接する基地局のセルＩＤやアクセス情報（ＴＡＩＤ）等を有している。
【００９４】
制御部１８は、測定報告受信部２０と、ハンドオーバ判定部２２と、ハンドオーバ要求送信部２４と、ハンドオーバ応答受信部２６と、ハンドオーバコマンド送信部３０と、ｇａｐ制御部３４と、ｇａｐ制御信号送信部３６とを有する。なお、図２３では、ハンドオーバを行うために必要な構成について記載しているが、ＳｅＮＢ１０は上記の構成のほかにも、通信制御等に必要な構成を有している。
【００９５】
測定報告受信部２０と、ハンドオーバ判定部２２と、ハンドオーバ要求送信部２４と、ハンドオーバ応答受信部２６と、ハンドオーバコマンド送信部３０は図６にて説明したＳｅＮＢ１０が備える各構成と同じ機能を有する。ｇａｐ制御部３４は、測定報告受信部２０からの測定結果に含まれるｇａｐ期間のタイミングとＴｅＮＢのフレームタイミングとのタイミング差から端末のｇａｐ期間のタイミングをＴｅＮＢのＳＵ−１信号の送信タイミングにあわせるようにずらす。ｇａｐ制御信号送信部３６では、ｇａｐ制御部３４で新たに設定したｇａｐ期間のタイミングを端末に通知することで、基地局と端末のｇａｐ期間のタイミングを合わせる。
【００９６】
図２４は、端末（ＵＥ）７０の構成を示す図である。端末７０は、マクロセルＣ１のＳｅＮＢ１０やＣＳＧセルＣ２のＴｅＮＢ４０との通信インターフェースである基地局通信インターフェース７２と、ＳｅＮＢ１０およびＴｅＮＢ４０との通信を制御する制御部７４とを有する。
【００９７】
制御部７４は、同期信号及びＲＳ信号受信部７６と、受信品質を測定する受信品質測定部７８と、基地局に対して測定報告を送信する測定報告送信部８０とを備える。また、制御部７４は、ｇａｐ制御信号を受信するｇａｐ制御信号受信部８２と、ｇａｐ制御信号に基づいてｇａｐ期間のタイミングを制御するｇａｐ制御部８４とを備える。さらに、制御部７４は、報知情報を受信する報知情報受信部８６と、報知情報に基づいてアクセスの許否を判定するアクセス許否判定部８８と、ハンドオーバコマンドを受信するハンドオーバコマンド受信部９０と、基地局との通信を開始する際にＲＡＣＨプレアンブルを送信するＲＡＣＨプレアンブル送信部とを備える。
【００９８】
図２５は、第５の実施の形態の無線通信システムにおけるハンドオーバの動作を示すフローチャートである。端末７０は、ｇａｐ期間中にセルサーチを行いＴｅＮＢ４０からの送信タイミングを検出する。端末７０は、ＴｅＮＢ４０からの送信タイミングとｇａｐ期間のタイミングとの差分を算出し、ＴｅＮＢ４０の受信品質と共にＳｅＮＢ１０に対して、測定報告を送信する（Ｓ３０）。ＳｅＮＢ１０は、ＳｅＮＢ１０からの電波の受信品質とＴｅＮＢ４０からの電波の受信品質を比較し、ハンドオーバすべきか否か判定する（Ｓ３２）。ＳｅＮＢ１０は、ハンドオーバすべきでないと判定した場合には（Ｓ３２でＮＯ）、次の測定報告の受信を待つ。
【００９９】
ハンドオーバすべきと判定した場合には（Ｓ３２でＹＥＳ）、ＳｅＮＢ１０は、測定報告にて通知されたセルＩＤに対応する識別子を有するＴｅＮＢ４０をＮＣＬ１６から抽出する（Ｓ３５）。続いて、ＴｅＮＢがＣＳＧセルの場合は（Ｓ３６でＹＥＳ）、ＳｅＮＢ１０は、抽出したＣＳＧセルＣ２のＴｅＮＢ４０に対してハンドオーバ要求を送信する（Ｓ３８）。ＴｅＮＢがＣＳＧセルでない場合は（Ｓ３６でＮＯ）、マクロセルのハンドオーバ処理を行う。
【０１００】
ハンドオーバ要求を受信したＴｅＮＢ４０は、ハンドオーバが可能であるか否かを判定し（Ｓ４０）、ハンドオーバ可能な場合には（Ｓ４０でＹＥＳ）ハンドオーバ応答をＳｅＮＢ１０に送信する（Ｓ４２）。ハンドオーバが不可能な場合（Ｓ４０でＮＯ）には、無線通信システムは、ステップＳ４２以降の動作を行わないで、フローを終了する。
【０１０１】
ハンドオーバ応答を受信したＳｅＮＢ１０は、測定報告で通知されたＴｅＮＢ４０の送信タイミングとｇａｐ期間のタイミングとのタイミング差から、端末７０におけるｇａｐ期間がＳＵ−１信号の送信タイミングに合うようにｇａｐ期間のタイミングの変更値を決定し、ｇａｐ制御情報として端末７０にこのｇａｐ期間のタイミングの変更値を通知する（Ｓ７０）。続いて、端末７０およびＳｅＮＢ１０は、ｇａｐ期間のタイミングを同時に変更する（Ｓ７２、Ｓ７４）。さらに、ＳｅＮＢ１０は、端末７０にハンドオーバコマンド（Ｓ７６）を送信する。
【０１０２】
端末７０は、変更したｇａｐ期間のタイミングでＳＵ−１信号を検出し（Ｓ７８）、アクセス許可を確認する（Ｓ８０）。アクセス許可があると判定すると（Ｓ８０でＹＥＳ）、端末７０は、ＴｅＮＢ４０に対し、上り回線の同期処理を開始するためのＲＡＣＨプレアンブルを送信し（Ｓ８４）、ＴｅＮＢ４０への接続処理を開始する。アクセス許可が無いと判断すると（Ｓ８０でＮＯ）、端末７０は、ハンドオーバ失敗をＳｅＮＢ１０に通知する（Ｓ８２）。以上、第５の実施の形態の無線通信システムについて説明した。
【０１０３】
図２６、図２７は、第５の実施の形態の無線通信システムにおけるハンドオーバ時に送受信される信号の流れの一例を示す図である。図２６は、アクセスが許可されたＴｅＮＢ４０に端末７０が近づいた場合の信号の流れを示し、図２７は、アクセスが許可されていないＴｅＮＢ４０に端末７０が近づいた場合の信号の流れを示している。
【０１０４】
図２６に示すように、第５の実施の形態によれば、ハンドオーバ先のＣＳＧセルの基地局であるＴｅＮＢ４０による報知情報（ＳＵ−１信号）の送信間隔を短くすることなく、かつ、端末７０が報知情報を受信するためのｇａｐ期間を長くすることもなく、短時間にハンドオーバを行うことができる。
【０１０５】
（第６の実施の形態）
最初に第６の実施の形態の無線通信システムの背景について説明する。基地局の報知情報にはＳＵ−１信号に含まれるセルのアクセス情報のほかに、端末にアクセスさせないセルのリストとしてアクセス不許可リストが含まれる。このアクセス不許可リストはコアネットワークから基地局を経由して端末に通知される。アクセス不許可リストを受信した端末は、リストに含まれたセルに対してはハンドオーバできない。
【０１０６】
現在は、ＣＳＧセルとマクロセルにおいて使用する周波数が異なるシステム（ここではシステム１とする）が検討されている。システム１においては、端末は、周波数の相違によってのみＣＳＧセルとマクロセルを識別できる。一方、将来のシステム（ここではシステム２とする）として、周波数ではなくセルＩＤによって、ＣＳＧセルとマクロセルを識別するシステムが考えられる。システム２においては、端末は、セルＩＤによってＣＳＧセルとマクロセルを識別できる。また、システム２においては、ＣＳＧセルのリストとして、隣接するＣＳＧセルのセルＩＤリストが定義され、報知情報としてコアネットワークから基地局を経由して端末に通知される。
【０１０７】
このようなシステムが登場した場合にはシステム間の報知情報の互換性を保つため、現在のシステムであるシステム１で使用される端末は、将来のネットワークであるシステム２でも使用できる必要がある。
【０１０８】
上述したように、システム１の端末は、セルＩＤによるＣＳＧセルとマクロセルの識別機能を持たないため、システム２のＣＳＧセルをマクロセルと誤判断する可能性がある。一般にアクセス制限があるＣＳＧセルの方が相当に多いので、ＣＳＧセルにアクセスを試みた場合、ＣＳＧセルのアクセス制限により接続ができないことが多く、通信リソースが無駄になってしまう。第６の実施の形態は、システム１の端末が、システム２で用いられる際に、通信リソースの浪費しないように工夫した無線通信システムを提供する。
【０１０９】
次に、第６の実施の形態の無線基地局および端末について説明する。図２８は、基地局（ＳｅＮＢおよびＴｅＮＢを総称してｅＮＢとする）１００の構成を示す図である。ｅＮＢ１００は、コアネットワークとの通信インターフェースであるコアＮＷ通信インターフェース１０２と、端末１２０との通信インターフェースである端末通信インターフェース１０４とコアＮＷおよび端末１２０との通信を制御する制御部１０６とを有する。
【０１１０】
制御部１０６は、アクセス不許可セルリスト受信部１０８とＣＳＧセルリスト受信部１１０と新アクセス不許可セルリスト生成部１１２と報知情報送信部１１４とを有する。なお、図２８では、報知情報の送信に必要な構成について記載しているが、ｅＮＢ１００は上記の構成のほかにも、通信制御等に必要な構成を有している。
【０１１１】
アクセス不許可セルリスト受信部１０８はコアネットワークからアクセス不許可セルリストを受信し、新アクセス不許可セルリスト生成部１１２へと送信する。ＣＳＧセルリスト受信部１１０はコアネットワークからＣＳＧセルリストを受信し、新アクセス不許可セルリスト生成部１１２へと送信する。
【０１１２】
図２９（ａ）はアクセス不許可セルリストの例を示す図、図２９（ｂ）はＣＳＧセルリストを示す図である。アクセス不許可セルリストは、アクセスを許可しないセルを特定するセルＩＤを列挙したリストである。ＣＳＧセルリストは、ＣＳＧセルを特定するために用いることのできるセルＩＤの範囲を示すリストである。図２９（ｂ）に示されるように、ＣＳＧセルのセルＩＤとしては、３００〜３５０、４５０〜５００のセルＩＤが用いられる。システム２の端末は、セルＩＤがこの範囲に含まれているか否かによって、セルＩＤによって特定されたセルが、マクロセルかＣＳＧセルかを識別できる。
【０１１３】
新アクセス不許可セルリスト生成部１１２ではアクセス不許可セルリスト受信部１０８からアクセス不許可セルリストを取り込み、ＣＳＧセルリスト受信部１１０からＣＳＧセルリストを取り込んで、新しいアクセス不許可セルリストを作成する。新アクセス不許可セルリスト生成部１１２は、ＣＳＧセルリストの中から隣接するＣＳＧセルのみを抽出し、抽出したＣＳＧリストをアクセス不許可セルリストに追加することによって、新アクセス不許可セルリストを生成する。
【０１１４】
図３０は、新アクセス不許可リスト生成部１１２にて生成された新アクセス不許可リストの例を示す図である。図３０に示されるように、新アクセス不許可セルリストは、アクセス不許可セルリストと隣接ＣＳＧセルリストを含む。この例では、新アクセス不許可セルリスト内のセルＩＤがアクセス不許可セルを示すか隣接ＣＳＧセルを示すかは、そのセルＩＤがＣＳＧセルリストに規定されたセルＩＤの範囲に含まれるか否かによって判断する。
【０１１５】
図３１は、新アクセス不許可セルリスト生成部１１２にて生成される新アクセス不許可セルリストの別の例を示す図である。図３１に示す新アクセス不許可セルリストは、ＣＳＧセルとアクセス不許可セルリストを識別するためのフラグを有している。
【０１１６】
報知情報送信部１１４は、ＣＳＧセルリスト受信部１１０からのＣＳＧセルリストと新アクセス不許可セルリスト生成部１０８から新アクセス不許可セルリストが入力されると、入力された新アクセス不許可セルリストを報知情報として端末１２０に送信する。
【０１１７】
図３２は、端末（ＵＥ）１２０の構成を示す図である。端末１２０は、基地局との通信インターフェースである基地局通信インターフェース１２２と基地局との通信を制御する制御部１２４とを有する。
【０１１８】
制御部１２４は、新アクセス不許可セルリスト受信部１２６と、ＣＳＧセルリスト受信部１２８と、アクセス不許可セルリストおよび隣接ＣＳＧセルリスト抽出部１３０とを有する。新アクセス不許可セルリスト受信部１２６は、基地局からの報知情報から新アクセス不許可リストを受信する。ＣＳＧセルリスト受信部１２８は、基地局からの報知情報からＣＳＧセルリストを受信する。アクセス不許可セルリストおよび隣接ＣＳＧセルリスト抽出部１３０は、入力された新アクセス不許可セルリストとＣＳＧセルリストに基づいて、アクセス不許可セルリストと隣接ＣＳＧセルリストを抽出する。ここで、アクセス不許可セルリストは、新アクセス不許可リストの中からＣＳＧセルリストに含まれるセルを除外することによって抽出される。隣接ＣＳＧセルリストは、除外されたＣＳＧセルから生成される。
【０１１９】
なお、図３１に示すように、新アクセス不許可セルリストにフラグを導入した場合は、フラグによりアクセス不許可セルリストと隣接ＣＳＧセルリストを抽出できる。なお、図２８では、アクセス不許可セルリストの抽出に必要な構成について記載しているが、端末１２０は上記の構成のほかにも、通信制御等に必要な構成を有している。
【０１２０】
図３３は、第６の実施の形態の無線通信システムにおける端末１２０のアクセス不許可セルリスト抽出の動作を示すフローチャートである。コアネットワーク１４０はアクセス不許可セルリストおよびＣＳＧセルリストを基地局（ｅＮＢ）１００に送信する（Ｓ９０、Ｓ９２）。基地局１００は、アクセス不許可セルリストとＣＳＧセルリストから新アクセス不許可セルリストを生成する（Ｓ９４）。基地局１００は、生成した新アクセス不許可リストを報知情報として端末１２０に送信する（Ｓ９６）。端末１２０は、報知情報として送信された新アクセス不許可セルリストに基づいて、アクセス不許可セルリストおよび隣接ＣＳＧセルリストを抽出する（Ｓ９８）。これにより、端末１２０は、アクセス不許可セルリストおよび隣接ＣＳＧセルリストに基づいて、アクセスが許可されているセル、許可されていないセルを識別して、適切な無線通信処理を行える。
【０１２１】
第６の実施の形態では、アクセス不許可セルリストと隣接ＣＳＧセルリストとを統合した新アクセス不許可セルリストを用いているので、セルＩＤによってＣＳＧセルとマクロセルを識別することができないシステム１の端末にとっては、新アクセス不許可セルリストの全体がアクセス不許可のセルを示すように見える（図３０、図３１参照）。つまり、
システム１の端末にとっては、新アクセス不許可セルリストを通常のアクセス不許可セルリストとして扱うことができる。これにより、システム２の隣接ＣＳＧセルもアクセス不許可セルであると判断することになるので、システム１の端末は、一般にアクセス制限によりアクセスを拒否される可能性の高いＣＳＧセルに対するアクセスを行わないように制御でき、通信リソースの浪費を防止できる。
【０１２２】
また、上記実施の形態で説明したとおり、システム２の端末は、新アクセス不許可セルリストから、アクセス不許可セルリストと隣接ＣＳＧセルリストを抽出することができるので、これらのリストを用いて適切な無線通信処理を行うことができる。
【０１２３】
以上のことから、第６の実施の形態では、システム２においてシステム１の端末が問題なく動作し、かつシステム２の端末はアクセス不許可セルリスト及び隣接ＣＳＧセルリストを問題なく受信できる。
【０１２４】
なお、本実施の形態では、新アクセス不許可セルリストを報知情報として端末１２０に送信する例を挙げて説明したが、新アクセス不許可セルリストを送信するための情報は報知情報に限らず、別の情報として送信してもよい。
【０１２５】
（他の実施の形態）
以下、本発明の他の実施の形態について説明する。
ＣＳＧセルの基地局からの送信信号は、マクロセルの基地局からの送信信号とは異なる周波数帯で通信される場合もある。その場合、端末が基地局から送信されるＳＵ−１を受信してアクセス許可を確認するためには、マクロセルの基地局との通信を一時中止する必要がある。マクロセルの基地局との通信を一時的に中止する期間を、本明細書では、「ｇａｐ期間」という。なお、ｇａｐ期間においても、端末は、異なる周波数帯で通信されるセルからの電波を検知することは可能である。
【０１２６】
ＣＳＧセルは以上のような性質を有することから、端末は、ｇａｐ期間に、ハンドオーバ先から送信されるＳＵ−１を受信し、ハンドオーバ先のＣＳＧセルに対してアクセス可能であるか否かを判断する必要があると考えられる。
【０１２７】
図２２は、現在策定中の仕様をもとに、マクロセルの基地局からＣＳＧセルの基地局にハンドオーバを行う際の動作を示す図である。なお、図２２に示すフローは、現在策定中のフローの改善点を分り易く説明するための仮想のフローであり、公知ではない。図２２において、ＵＥは端末、ＳｅＮＢはハンドオーバ元のマクロセルの基地局、ＴｅＮＢはハンドオーバ先のＣＳＧセルの基地局を示す。ＴｅＮＢは、端末に対して定期的にＳＵ−１を送信している。端末は、ＳｅＮＢから送信される信号を受信する期間と、ＴｅＮＢから送信される信号を受信する期間（ｇａｐ期間）を切り替えるタイムシェアリングにより、周波数の異なる両方の基地局からの信号を受信する。
【０１２８】
端末は、ＳｅＮＢの電波およびＴｅＮＢからの電波を検知し、その受信品質のレポートを現在通信中のＳｅＮＢに送信する。ＳｅＮＢは、ＳｅＮＢとＴｅＮＢとの受信品質に基づいてハンドオーバすべきか否かを判定する。例えば、ＳｅＮＢは、ＳｅＮＢとＴｅＮＢの受信品質を比較し、ＴｅＮＢの方が受信品質が良い場合には、ＴｅＮＢへのハンドオーバをすべきと判定する。ハンドオーバをすべき場合には、ＴｅＮＢに対してハンドオーバ要求を送信する。ハンドオーバ要求を受信したＴｅＮＢは、新しい端末を接続するリソースがあるか等に基づいてハンドオーバの可否を判定し、ハンドオーバ応答をＴｅＮＢに送信する。ここでは、ＴｅＮＢは、ハンドオーバＯＫのレスポンスを返したとする。
【０１２９】
次に、ＳｅＮＢは、端末からのレポートに基づいて、端末からＴｅＮＢへのアクセスが許可されているか否かを判断する。詳細には、端末は、ＳＵ−１を受信したときに、ＳＵ−１に含まれるＴＡＩＤを検知し、端末のＴＡＩＤとＳｅＮＢのＴＡＩＤとを比較してアクセス可能か否かを判定する。端末は、アクセス可否の情報を測定報告に含めてＳｅＮＢに送信する。ＳｅＮＢは、端末から基地局へのアクセスが許可されている場合には、ＳｅＮＢは、端末にハンドオーバコマンドを送信する。端末は、ハンドオーバコマンドを受信すると、ＳｅＮＢに対してＲＡＣＨプレアンブルを送信し、ＴｅＮＢへの接続動作を行う。図２２では、以下の動作の記載を省略している。
【０１３０】
図２２に示すように、ハンドオーバ先のＳｅＮＢへのアクセスが許可されているか否かを判定するために、端末は、ＳｅＮＢから送信されるＳＵ−１を受信する必要がある。ｇａｐ間にＳＵ−１が送信されてこないと次のｇａｐ期間までＳＵ−１を受信する機会がない。しかも、次のｇａｐ期間のタイミングに、必ずしもＳＵ−１が送信されてくるとも限らない。例えば、現在策定中の仕様では、数１０ｍｓごとに存在するｇａｐ期間は、たったの６ｍｓであるので、その６ｍｓのｇａｐ間にＳＵ−１が送信されてこないと次のｇａｐ期間までＳＵ−１を受信する機会がない。しかも、次のｇａｐ期間のタイミングに、必ずしもＳＵ−１が送信されてくるとも限らない。このため、アクセスが許可されているか否かの判定に時間を要し、ひいてはハンドオーバに長時間を要する可能性がある。
【０１３１】
そこで、以下に説明する他の実施の形態は、上記背景に鑑み、アクセス許可があるか否かを迅速に判定し、円滑なハンドオーバを実現する基地局および無線通信システムを提供することを目的とする。
【０１３２】
実施の形態の基地局は、第１のセルと、前記第１のセルに包含される第２のセルとを有するネットワークにおいて前記第２のセル内の端末との通信を制御する基地局であって、前記第１のセルから前記第２のセルへ前記端末をハンドオーバさせるためのハンドオーバ要求を、前記第１のセルの基地局から受信するハンドオーバ要求受信部と、前記ハンドオーバ要求に対する応答であって前記端末の第２のセルにおける識別情報を含むハンドオーバ応答を前記第１のセルの基地局に送信し、前記第１のセルの基地局から前記端末に前記識別情報を通知させるハンドオーバ応答送信部と、前記識別情報を用いて設定した個別チャネルを通じて、前記端末が前記第２のセルの基地局からのデータを受信可能な期間より短い時間間隔で、ハンドオーバコマンドを含む個別信号を前記端末に繰り返し送信するハンドオーバコマンド送信部とを備える。
【０１３３】
このようにハンドオーバ要求に対して識別情報を含むハンドオーバ応答を送信し、第１のセルの基地局から端末に対して識別情報を通知させることにより、第１のセルの基地局にハンドオーバ応答を返すという処理を行うだけで、個別チャネルを用いて端末に個別信号を送信することが可能になる。また、個別信号の送信間隔を、端末が第２のセルの基地局からのデータを受信可能な期間より短くしているので、個別信号の送信開始後の最初の受信可能期間に、端末が個別信号を受信でき、短時間でハンドオーバを行える。
【０１３４】
上記基地局は、前記個別信号に応じて前記端末から送信されるＲＡＣＨプレアンブルコマンドを受信するＲＡＣＨプレアンブルコマンド受信部を備え、前記個別信号送信部は、前記ＲＡＣＨプレアンブルコマンドを受信したとき、あるいは、前記個別信号の送信開始から所定時間が経過したときに前記個別信号の送信を停止してもよい。
【０１３５】
このように所定時間が経過したときに個別信号の送信を停止することにより、端末が第２のセルにハンドオーバしない場合に、個別チャネルのリソースを適切な時期に解放することができる。
【０１３６】
実施の形態の別の態様の基地局は、第１のセルと、前記第１のセルに包含される第２のセルとを有するネットワークにおいて前記第２のセル内の端末との通信を制御する基地局であって、前記第１のセルから前記第２のセルへ前記端末をハンドオーバさせるためのハンドオーバ要求を、前記第１のセルの基地局から受信するハンドオーバ要求受信部と、前記ハンドオーバ要求に対するレスポンスを前記第１のセルの基地局に送信するハンドオーバ応答送信部と、共通チャネルを通じて、アクセス情報を含む報知情報を送信する報知情報送信部とを備え、前記報知情報送信部は、前記ハンドオーバ要求に応じてハンドオーバを行うときに、前記ハンドオーバ要求を受信する前より前記報知情報の送信間隔を小さくする構成を有する。
【０１３７】
このようにハンドオーバ要求に応じてハンドオーバを行うときに報知情報の送信間隔をハンドオーバ要求の受信前より小さくすることにより、報知情報を受信し損ねる確率を低減でき、短時間でハンドオーバを行える。なお、報知情報の送信間隔を第２のセルの基地局からのデータを受信可能な期間より短い間隔とすれば、最初の受信可能期間で報知情報を受信できる。
【０１３８】
上記基地局は、前記個別信号に応じて前記端末から送信されるＲＡＣＨプレアンブルコマンドを受信するＲＡＣＨプレアンブルコマンド受信部を備え、前記報知情報送信部は、前記ＲＡＣＨプレアンブルコマンドを受信したとき、あるいは、前記報知情報の送信間隔を小さくしてから所定時間が経過したときに前記報知情報の送信間隔を元に戻してもよい。
【０１３９】
このように所定時間が経過したときに個別信号の送信を停止することにより、共通チャネルのリソースの使用状態を元に戻すことができる。
【０１４０】
実施の形態の別の態様の基地局は、第１のセルと、前記第１のセルに包含される第２のセルとを有するネットワークにおいて前記第１のセル内の端末との通信を制御する基地局であって、前記端末から、その端末が電波を検知した前記第２のセルのセル識別子およびその電波の品質情報を含む測定報告を受信する測定報告受信部と、前記測定報告に基づいて前記第１のセルから前記第２のセルへ前記端末をハンドオーバすべきと判定したときに、ハンドオーバ先と判定されたセル識別子を有する第２のセルの基地局のうち前記端末からのアクセスが許可されている基地局にハンドオーバ要求を送信するハンドオーバ要求送信部と、前記ハンドオーバ要求に対する応答であって前記第２のセルにおける前記端末の識別情報を含むハンドオーバ応答を前記第２のセルから受信するハンドオーバ応答受信部と、前記ハンドオーバ応答に含まれる前記識別情報を前記端末に通知する識別情報送信部とを備える。
【０１４１】
このようにハンドオーバ要求のレスポンスに含まれる識別情報を端末に対して通知することにより、第２のセルの基地局から端末に対し、個別チャネルを用いて個別信号を送信することが可能になる。
【０１４２】
実施の形態の別の態様の基地局は、第１のセルと、前記第１のセルに包含される第２のセルとを有するネットワークにおいて前記第１のセル内の端末との通信を制御する基地局であって、前記端末から、その端末が電波を検知した前記第２のセルのセル識別子およびその電波の品質情報を含む測定報告を受信する測定報告受信部と、前記測定報告に基づいて前記第１のセルから前記第２のセルへ前記端末をハンドオーバすべきと判定したときに、ハンドオーバ先と判定されたセル識別子を有する第２のセルの基地局にハンドオーバ要求を送信するハンドオーバ要求送信部と、前記ハンドオーバ要求に対するハンドオーバ応答を前記第２のセルから受信するハンドオーバ応答受信部と、前記端末から、前記第２のセルに対するアクセス許否の情報を受信するアクセス許否通知受信部と、前記第２のセルの基地局に対するアクセスが許可されている場合に、前記端末に対しハンドオーバコマンドを送信するハンドオーバコマンド送信部とを備える。
【０１４３】
このように端末からのアクセスが許可されているか否かに関わらず、ハンドオーバ先と判定されたセル識別子を有するすべての基地局にハンドオーバ要求を送信するので、第２のセルの基地局は、端末に対し、アクセスの可否についての情報を送信できる。例えば、第２のセルの基地局が通常の報知情報の送信間隔より短い間隔でアクセス情報を含む報知情報を送信することにより、端末は早期に第２のセルの基地局に対するアクセス可否を知ることができる。
【０１４４】
上記基地局において、前記ハンドオーバ要求送信部は、前記測定報告に基づいてハンドオーバすべきと判定されたセル識別子を有する第２のセルの基地局のうち前記端末からのアクセスが許可されている基地局に前記ハンドオーバ要求を送信してもよい。
【０１４５】
このようにハンドオーバ先と判定されたセル識別子を有する第２のセルの基地局のうち端末がアクセス可能な基地局にハンドオーバ要求を送信することにより、ハンドオーバ要求を送信するためのリソースを節約できるとともに、ハンドオーバ要求を受信する基地局が減るので、基地局の処理負担を軽減できる。
【０１４６】
実施の形態の別の態様の基地局は、端末から測定報告を受信する受信部と、受信した測定報告に基づいて端末をハンドオーバさせるべきか否か判定する判定部と、ハンドオーバさせるべきと判定された場合は、ハンドオーバ先の基地局装置に報知情報の送信頻度を変更する指示を送信する送信部とを備える。
【０１４７】
このようにハンドオーバ先の基地局から送信される報知情報の送信間隔をハンドオーバさせるべきとの判定の前より小さくすることにより、報知情報を受信し損ねる確率を低減でき、短時間でハンドオーバを行える。なお、報知情報の送信間隔を第２のセルの基地局からのデータを受信可能な期間より短い間隔とすれば、最初の受信可能期間で報知情報を受信できる。
【０１４８】
実施の形態の基地局は、ハンドオーバ先の基地局からハンドオーバ可能の応答を受信したときに、前記端末に対して、前記ハンドオーバ先の基地局から送信される報知情報の受信指示を含むハンドオーバコマンドを送信するハンドオーバコマンド送信部を備えてもよい。
【０１４９】
これにより、端末は、ハンドオーバ先の基地局から送信される報知情報を受信処理に切り替え、報知情報を確実に受信することができる。
【０１５０】
実施の形態の無線通信システムは、第１のセル内の端末との通信を制御する第１の基地局と、前記第１のセルに包含される第２のセル内の端末との通信を制御する第２の基地局とを有する無線通信システムであって、前記第１の基地局は、前記第１のセルから前記第２のセルへ前記端末をハンドオーバさせるためのハンドオーバ要求を前記第２の基地局に送信し、前記第２の基地局は、前記ハンドオーバ要求に対する応答であって前記端末の第２のセルにおける識別情報を含むハンドオーバ応答を前記第１のセルの基地局に送信し、前記第１の基地局は、前記ハンドオーバ応答に含まれる前記識別情報を前記端末に通知し、前記第２の基地局は、前記識別情報を用いて設定した個別チャネルを通じて、前記端末が前記第２のセルの基地局からのデータを受信可能な期間より短い時間間隔で、ハンドオーバコマンドを含む個別信号を前記端末に繰り返し送信する。
【０１５１】
このように第１の基地局から端末に対して、第２のセルにおける識別情報を通知させることにより、第２の基地局は、第１のセルの基地局にハンドオーバ応答を返すという処理を行うだけで、個別チャネルを用いて端末に個別信号を送信することが可能になる。第２の基地局から端末に対し、個別チャネルを用いて、個別信号を送信することが可能になる。また、ハンドオーバコマンドを含む個別信号の送信間隔を、第２のセルの基地局からのデータを受信可能な期間より短い間隔としているので、個別信号の送信開始後の最初の受信可能期間に、端末が個別信号を受信でき、短時間でハンドオーバを行える。
【０１５２】
実施の形態の別の態様の無線通信システムは、第１のセル内の端末との通信を制御する第１の基地局と、前記第１のセルに包含される第２のセル内の端末との通信を制御する第２の基地局とを有する無線通信システムであって、前記第１の基地局は、前記第１のセルから前記第２のセルへ前記端末をハンドオーバさせるためのハンドオーバ要求を前記第２の基地局に送信し、前記第２の基地局は、前記ハンドオーバ要求に対するハンドオーバ応答を前記第１のセルの基地局に送信し、前記第２の基地局は、前記ハンドオーバ要求に応じてハンドオーバを行うときに、前記ハンドオーバ要求を受信する前より、共通チャネルを通じて送信するアクセス情報を含む報知情報の送信間隔を小さくする。
【０１５３】
このように第２の基地局がハンドオーバ要求を受信したときに報知情報の送信間隔をハンドオーバ要求の受信前より小さくすることにより、端末が報知情報を受信し損ねる確率を低減でき、短時間でハンドオーバを行える。なお、報知情報の送信間隔を第２のセルの基地局からのデータを受信可能な期間より短い間隔とすれば、最初の受信可能期間で報知情報を受信できる。
【０１５４】
実施の形態のハンドオーバ方法は、第１のセルと、前記第１のセルに包含される第２のセルとを有するネットワークにおいて前記第２のセル内の端末との通信を制御する基地局が行うハンドオーバ方法であって、前記第１のセルから前記第２のセルへ前記端末をハンドオーバさせるためのハンドオーバ要求を、前記第１のセルの基地局から受信するステップと、前記ハンドオーバ要求に対する応答であって前記端末の第２のセルにおける識別情報を含むハンドオーバ応答を前記第１のセルの基地局に送信し、前記第１のセルの基地局から前記端末に前記識別情報を通知させるステップと、前記識別情報を用いて設定した個別チャネルを通じて、前記端末が前記第２のセルの基地局からのデータを受信可能な期間より短い時間間隔で、ハンドオーバコマンドを含む個別信号を前記端末に繰り返し送信するステップとを備える。
【０１５５】
このようにハンドオーバ要求に対して識別情報を含むハンドオーバ応答を送信し、第１のセルの基地局から端末に対して識別情報を通知させることにより、第１のセルの基地局にハンドオーバ応答を返すという処理を行うだけで、個別チャネルを用いて端末に個別信号を送信することが可能になる。また、個別信号の送信間隔を、端末が第２のセルの基地局からのデータを受信可能な期間より短くしているので、個別信号の送信開始後の最初の受信可能期間に、端末が個別信号を受信でき、短時間でハンドオーバを行える。
【０１５６】
実施の形態の別の態様のハンドオーバ方法は、第１のセルと、前記第１のセルに包含される第２のセルとを有するネットワークにおいて前記第２のセル内の端末との通信を制御する基地局が行うハンドオーバ方法であって、前記第１のセルから前記第２のセルへ前記端末をハンドオーバさせるためのハンドオーバ要求を、前記第１のセルの基地局から受信するステップと、前記ハンドオーバ要求に対するレスポンスを前記第１のセルの基地局に送信するステップと、前記ハンドオーバ要求に応じてハンドオーバを行う場合に、前記ハンドオーバ要求を受信する前より、共通チャネルを通じて送信するアクセス情報を含む報知情報の送信間隔を小さくするステップとを備える。
【０１５７】
このようにハンドオーバ要求を受信したときに報知情報の送信間隔をハンドオーバ要求の受信前より小さくすることにより、端末が報知情報を受信し損ねる確率を低減でき、短時間でハンドオーバを行える。なお、報知情報の送信間隔を第２のセルの基地局からのデータを受信可能な期間より短い間隔とすれば、最初の受信可能期間で報知情報を受信できる。
【０１５８】
実施の形態によれば、第２のセルの基地局は、ハンドオーバ要求に対して識別情報を含むレスポンスを送信し、第１のセルの基地局から端末に対して識別情報を通知させることにより、第１のセルの基地局にハンドオーバ応答を返すという処理を行うだけで、個別チャネルを用いて端末に個別信号を送信することが可能になる。また、ハンドオーバコマンドとの送信間隔を、第２のセルの基地局からのデータを受信可能な期間より短い間隔としているので、個別信号の送信開始後の最初の受信可能期間に、端末が個別信号を受信でき、短時間でハンドオーバを行える。
【産業上の利用可能性】
【０１５９】
以上説明したように、本発明は、第１の無線通信端末と第２の無線通信端末が混在した場合にも適切な無線通信処理を行うことができるという効果を有し、例えばマクロセルからＣＳＧセルのように、アクセス制限のあるセルへのハンドオーバに有用である。
【符号の説明】
【０１６０】
１  無線通信システム
１０  ハンドオーバ元の基地局（ＳｅＮＢ）
１２  基地局通信インターフェース
１４  端末通信インターフェース
１６  ＮＣＬ
１８  制御部
２０  測定報告受信部
２２  ハンドオーバ判定部
２４  ハンドオーバ要求送信部
２６  ハンドオーバ応答受信部
２８  識別情報送信部
３０  ハンドオーバコマンド送信部
３２  アクセス許否判定部
３４  ｇａｐ制御部
３６  ｇａｐ制御信号送信部
４０  ハンドオーバ先の基地局（ＴｅＮＢ）
４２  基地局通信インターフェース
４４  端末通信インターフェース
４６  制御部
４８  ハンドオーバ要求受信部
５０  ハンドオーバ可否判定部
５２  ハンドオーバ応答送信部
５４  個別信号送信制御部
５６  ＲＡＣＨプレアンブル受信部
５８  報知情報送信部
６０  ＲＡＣＨプレアンブル受信部
７０  端末（ＵＥ）
７２  基地局通信インターフェース
７４  制御部
７６  同期信号及びＲＳ信号受信部
７８  受信品質測定部
８０  測定報告送信部
８２  ｇａｐ制御信号受信部
８４  ｇａｐ制御部
８６  報知情報受信部
８８  アクセス許否判定部
９０  ハンドオーバコマンド受信部
９２  ＲＡＣＨプレアンブル送信部
１００  基地局
１０２  コアネットワーク通信インターフェース
１０４  端末通信インターフェース
１０６  制御部
１０８  アクセス不許可セルリスト受信部
１１０  ＣＳＧセルリスト受信部
１１２  新アクセス不許可セルリスト生成部
１１４  報知情報送信部
１２０  端末（ＵＥ）
１２２  基地局通信インターフェース
１２４  制御部
１２６  新アクセス不許可リスト受信部
１２８  ＣＳＧセルリスト受信部
１３０  アクセス不許可セルリストおよび隣接ＣＳＧセルリスト抽出部
１４０  コアネットワーク
【図１】
0005420022.tif 000002
【図２】
0005420022.tif 000003
【図３】
0005420022.tif 000004
【図４】
0005420022.tif 000005
【図５】
0005420022.tif 000006
【図６】
0005420022.tif 000007
【図７】
0005420022.tif 000008
【図８】
0005420022.tif 000009
【図９】
0005420022.tif 000010
【図１０】
0005420022.tif 000011
【図１１】
0005420022.tif 000012
【図１２】
0005420022.tif 000013
【図１３】
0005420022.tif 000014
【図１４】
0005420022.tif 000015
【図１５】
0005420022.tif 000016
【図１６】
0005420022.tif 000017
【図１７】
0005420022.tif 000018
【図１８】
0005420022.tif 000019
【図１９】
0005420022.tif 000020
【図２０】
0005420022.tif 000021
【図２１】
0005420022.tif 000022
【図２２】
0005420022.tif 000023
【図２３】
0005420022.tif 000024
【図２４】
0005420022.tif 000025
【図２５】
0005420022.tif 000026
【図２６】
0005420022.tif 000027
【図２７】
0005420022.tif 000028
【図２８】
0005420022.tif 000029
【図２９】
0005420022.tif 000030
【図３０】
0005420022.tif 000031
【図３１】
0005420022.tif 000032
【図３２】
0005420022.tif 000033
【図３３】
0005420022.tif 000034